【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】  その各々がＩ／Ｏバス（２４、２６）を介してブリッジ（１２）に接続されている少なくとも１つの第１の処理セット（１４）および第２の処理セット（１６）を備えるコンピュータ・システム用のブリッジであって、該ブリッジのリソース制御メカニズムが、
ブリッジに接続することができるようなデバイス・バスの１つまたは複数のそれぞれがシステムリソースと通信することができるリソース・スロットと信号をやり取りするためのインタフェース（８２）と、
各システムリソースに関連付けられたレジスタであって、前記関連付けられたシステムリソースの動作状態を指示する切り替え可能な指標（６０２−６０８）を有するレジスタ（６００）と
を備えると共に、前記制御メカニズムがコンピュータ・システムのそれぞれのシステムリソースに対しておよび／またはそれぞれのシステムリソースから信号を導くように動作が可能である、コンピュータ・システム用ブリッジ。
【請求項２】  前記リソースの少なくとも１つがＩ／Ｏデバイスである請求項１に記載のブリッジ。
【請求項３】  前記レジスタが指標を格納するためのメモリを備える請求項１又は請求項２に記載のブリッジ。
【請求項４】  前記レジスタが４ビットのメモリ・ユニットを備える請求項３に記載のブリッジ。
【請求項５】  前記コンピュータ・システムが、各々が１つまたは複数のプロセッサを備えている２つの処理セットを備える先行するいずれかの請求項に記載のブリッジ。
【請求項６】  切り替え可能な指標の少なくとも幾つかを使用して、関連付けられたリソースが前記プロセッサ・セットのうちの１つに割り付け済みであるか否かを指示させている請求項５に記載のブリッジ。
【請求項７】  切り替え可能な指標の少なくとも幾つかによりさらに、前記プロセッサ・セットのうちのどちらに対して当該レジスタと関連付けられたリソースが割り付けられているかを指示している請求項６に記載のブリッジ。
【請求項８】  前記レジスタが４ビットのメモリ・ユニットを備え、かつ前記コンピュータ・システムが第１の処理セットおよび第２の処理セットを備ると共に、前記ユニットの第２ビットおよび第３ビットは、関連付けられたリソースが第１の処理セットによって所有されているのか、第２の処理セットによって所有されているのか、あるいは第１の処理セットと第２の処理セットのいずれによっても所有されていないのかを指示するように切り替え可能である請求項５又は請求項６に記載のブリッジ。
【請求項９】  切り替え可能な指標の少なくとも１つが、関連付けられたリソースが処理セットのうちの１つに対するアクセスの許可を受けているか否かを指示している請求項５ないし請求項８のいずれかの請求項に記載のブリッジ。
【請求項１０】  切り替え可能な指標の少なくとも１つが、当該レジスタに関連付けられたリソースの読み取りが企てられたときに不確定データを発生させるように選択的に動作可能である請求項５ないし請求項９のいずれかの請求項に記載のブリッジ。
【請求項１１】  前記指標の少なくとも１つによりプロセッサ・セットのうちの１つに所有されていると特定されたリソースに対する、またはこうしたリソースからの命令および／またはデータをルーティングするように動作可能であるルーティング・マトリックスを備える前記請求項のいずれか一項に記載のブリッジ。
【請求項１２】  ４ビットのレジスタを備えると共に、その４ビットのうちの２ビットが、
前記レジスタに関連付けられたリソースが第１のプロセッサ・セットと第２のプロセッサ・セットのいずれにも割り付けされていないことを示している第１の状態と、
前記レジスタに関連付けられたリソースが第１のプロセッサ・セットに割り付けされていることを示している第２の状態と、
前記レジスタに関連付けられたリソースが第２のプロセッサ・セットに割り付けされていることを示している第３の状態と、
になるように、および／またはこれらの状態からの切り替えが可能である前記請求項のいずれか一項に記載のブリッジ。
【請求項１３】  前記４ビット・レジスタ中の残りの２ビットのうちの第１ビットが、
前記関連付けられたリソースに第１および第２のプロセッサ・セットのうちの１つに対するアクセスが許可されていることを示している第１の状態と、
前記関連付けられたリソースに第１および第２のプロセッサ・セットのいずれに対するアクセスも許可されてないことを示している第２の状態と、
になるように、および／またはこれらの状態からの切り替えが可能であり、前記第１の状態は、前記レジスタの４ビットのうちの２ビットにより前記関連付けられたリソースが第１および第２のプロセッサ・セットのいずれによっても所有されていないことが指示されたときにのみ起動される請求項１２に記載のブリッジ。
【請求項１４】  前記４ビット・レジスタ中の残りの２ビットのうちの第２ビットが、
前記関連付けられたリソースに対する書き込みが許可されていることを示している第１の状態と、
前記関連付けられたリソースに対する書き込みが無視されることになり、かつ前記関連付けられたリソースに対する任意の書き込みの企てに応答して不確定データを発生させることになることを示している第２の状態と、
になるように、および／またはこれらの状態からの切り替えが可能である請求項１３に記載のブリッジ。
【請求項１５】  各々が１つまたは複数のプロセッサ（５２、６２、７２）を有し、かつ各々が１つのプロセッサ・バスに接続されている複数の処理セット（２４、２６）と、
各々がＩ／Ｏデバイス・バス（２２）のスロット（３３−３５）に関連付けられている複数のデバイス（３０−３２）と、
前記複数のプロセッサ・バスおよび前記Ｉ／Ｏデバイス・バスに接続されているブリッジであって、１つまたは複数のスロットおよび関連付けられたデバイスと信号をやり取りするためのインタフェースを有するデバイス制御メカニズムを備えている前記請求項のいずれか一項に記載のブリッジと、
各デバイスに関連付けられたレジスタであって、前記関連付けられたデバイスの動作状態を指示する切り替え可能な指標を有するレジスタと、
を備えると共に、前記制御メカニズムはコンピュータ・システムのそれぞれのシステムリソースに対しておよび／またはそれぞれのシステムリソースから信号を導くように使用する動作が可能であるコンピュータ・システム。
【請求項１６】  各々がＩ／Ｏバス（２４、２６）を介してブリッジ（１２）に接続されている少なくとも１つの第１の処理セット（１４）および第２の処理セット（１６）を含むコンピュータ・システム内でブリッジを動作させる方法であって、
ブリッジ内のインタフェースにより前記ブリッジに接続されているデバイス・バスのリソース・スロットであって、その各々がシステムリソースと通信する１つまたは複数のリソース・スロットと信号をやり取りするステップと、
各システムリソースと関連付けられたブリッジのレジスタ内に、前記関連付けられたシステムリソースの動作状態を指示している切り替え可能な指標を格納するステップと、
切り替え可能な指標に基づいて、コンピュータ・システムのそれぞれのシステムリソースに対して、および／またはこれらのシステムリソースから信号を導くステップと、
を含む方法。
【請求項１７】  前記レジスタをランダム・アクセス・メモリ内に実現することができる請求項１６に記載の方法。
【請求項１８】  前記レジスタが４ビット・レジスタを備える請求項１６に記載の方法。
【請求項１９】  リソースの動作状態の変化を反映させるように前記レジスタを更新するステップを含む請求項１６に記載の方法。
【請求項２０】  コンピュータ・システムの１つのリソースを宛先とする、第１および第２のプロセッサ・セットのうちの１つからの信号を伝搬させるステップと、
第１および第２の処理セットのうちの１つに対して前記リソースへのアクセスが許可されているか否かを決定するようにレジスタに対して問い掛けるステップと、
前記レジスタにより前記リソースへのアクセスが第１および第２の処理セットのうちの１つに対して許可されていることが指示されている場合に、前記リソースへの信号をルーティングするステップと、
をさらに含む請求項１６ないし１９のいずれか一項に記載の方法。